(57)【要約】【課題】ＰＬＬ回路の変動特性を有しつつも、位相の進みや遅れ等の誤差を補正でき、クロックの精度を上げることができるようにする。【解決手段】クロックマークから抽出したクロックで量子化を行い、該量子化は前記クロックマークにおけるクロックポイントの前後に該クロックポイントとは異なる同一の値を量子化するものであり、前記クロックポイントの前後の量子化した値の差分を位相差として検出する。【選択図】    図７
2005339710.tif 000002
【特許請求の範囲】
【請求項１】
情報を記録媒体から多値信号を用いて再生する再生方法であって、前記情報を前記記録媒体から再生するときに、クロックを抽出するためのクロックマークを用い、該クロックマークから抽出したクロックで量子化を行い、前記クロックマークにおけるクロックポイントの前後に該クロックポイントとは異なる同一の値を量子化し、前記クロックポイントの前後の量子化した値の差分を位相差として検出することを特徴とする位相差検出方法。
【請求項２】
情報を記録媒体から多値信号を用いて再生する再生方法であって、前記情報を前記記録媒体から再生するときに、クロックを抽出するためのクロックマークを用い、該クロックマークから抽出したクロックで量子化を行い、前記クロックマークにおけるクロックポイントの前後に波形干渉で生じた値を量子化し、前記クロックポイントの前後の量子化した値の差分を位相差として検出することを特徴とする位相差検出方法。
【請求項３】
請求項２記載の位相差検出方法において、
前記クロックポイントの前後の量子化に、データによる波形干渉が起きないようにガードエリアを設けたクロックマークを用いることを特徴とする位相差検出方法。
【請求項４】
情報を記録媒体から多値信号を用いて再生する再生方法であって、前記情報を前記記録媒体から再生するときに、クロックを抽出するためのクロックマークを用い、該クロックマークは再生信号の振幅の差が最も大きくなる第１のレベルと、第２のレベル及び第３のレベルで構成され、前記第１のレベル、第３のレベル、第２のレベル、第３のレベル、第１のレベルと並べ、前記クロックマークから抽出したクロックで量子化を行い、前記２つの第３のレベルを量子化し、前記量子化した値の差分を位相差として検出することを特徴とする位相差検出方法。
【請求項５】
情報を記録媒体から多値信号を用いて再生する再生方法であって、前記情報を前記記録媒体から再生するときに、クロックを抽出するためのクロックマークを用い、前記クロックマークは再生信号の振幅の差がもっとも大きくなる第1のレベルと第２のレベルで構成され、前記第1のレベル、第２のレベル、第１のレベルと並べ、前記クロックマークから抽出したクロックで量子化を行い、前記クロックマークの前後に波形干渉で生じた値を量子化し、前記第２のレベルの前後の第1のレベルの量子化した値の差分を位相差として検出することを特徴とする位相差検出方法。
【請求項６】
請求項５記載の位相差検出方法において、
クロックポイントの前後のデータにより前記第２のレベルの前後の前記第1のレベルが変動しない長さをｎとするとき、前記第1のレベルがｎより長いことを特徴とする位相差検出方法。
【請求項７】
請求項１乃至６のうちの何れか１つに記載の位相差検出方法を実施可能なクロックマークが情報中に記録されていることを特徴とする情報記録／再生媒体。
【請求項８】
情報を記録媒体から多値信号を用いて再生する再生装置であって、前記情報を前記記録媒体から再生するときに、クロックを抽出するためのクロックマークを用い、前記クロックマークから抽出したクロックで量子化を行い、ディレイ素子に前記量子化した値を順次入力し、前記クロックマーク内の２点の量子化した値の差分をとり、該差分を位相差として検出することを特徴とする位相検出回路。
【請求項９】
情報を記録媒体から多値信号を用いて再生する再生装置であって、前記情報を前記記録媒体から再生するときに、クロックを抽出するためのクロックマークを用い、前記クロックマークから抽出したクロックで量子化を行い、ディレイ素子に前記量子化した値を順次入力し、前記クロックマーク内の２点の量子化した値の差分をとり、該差分を位相差として検出し、コントローラで定常位相差を検出して該位相差をＰＬＬ回路に加えることを特徴とする情報再生装置。
【請求項１０】
請求項９記載の情報再生装置において、
定常位相差検出を、ＣＰＵが一定間隔、もしくは、電源投入時、もしくは記録媒体交換時に行うことを特徴とする情報再生装置。
【発明の詳細な説明】
【技術分野】
【０００１】
本発明は、情報を記録媒体に記録し又は記録媒体から再生する際の同期方式において、特に多値で情報を記録した場合の同期方式において、情報を再生する際に使用するクロック抽出用マークからクロックを生成する際の、生成クロックの位相と再生信号の位相の差を検出する位相差検出方法、該位相差検出方法を実施可能な情報記録／再生媒体、位相検出回路、ならびに情報再生装置に関する。
【背景技術】
【０００２】
特開２００１−１８４８０４号公報には、複数のＰＬＬ（位相同期回路：以下「ＰＬＬ回路」ともいう）、複数のＶＣＯまたはディレイラインを使用せずに構成可能で、発生する温度特性やバラツキ等を考慮せず装置全体の消費電力も少なく抑制可能で回路実装も簡単化可能であることを目的とした光ディスク装置のクロック発生回路が記載されている。
これは、再生されたクロック信号パターンをＡ／Ｄ変換し、Ａ／Ｄコンバータのサンプリングクロック及びそれを所定の分周比で分周した信号との位相差を位相差検出器で検出し、ループフィルタ、Ｄ／Ａコンバータ、ＶＣＯとでＰＬＬループを構成し、ＶＣＯの出力クロックを再生されたクロック信号パターンに同期し、再生記録領域のデータをＶＣＯの出力クロックからのサンプリングクロックに基づき、Ａ／ＤコンバータによりＡ／Ｄ変換し、再生記録領域のデータとＶＣＯの出力クロックとの位相差を位相差検出器で検出し、積算器で累積加算した信号を位相差検出器の出力に加算するものである。
【０００３】
また、多値記録の際のクロックマークの必要性に関するものとして、特許第２９１４７３２号公報に記載の情報再生装置が知られている。
これは、多値情報が記録された多値データ部と、この多値データ部に記録された多値情報を再生するタイミングを得る復調クロックを生成するための同期ビットが予め記録されたビット部とを有する情報記録媒体を再生する情報再生装置であって、光ビームを出力する光ビーム出力手段と、この光ビーム出力手段により出力された光ビームを前記情報記録媒体の記録部位に集光する光学系と、前記記録部位で反射された前記光ビームを受光して、前記記録部位の光学的特性に応じた電気信号を出力する光学特性検出手段と、この光学特性検出手段により出力される前記同期ビットに対応した電気信号から前記復調クロックを生成するクロック生成手段と、このクロック生成手段により生成された前記復調クロックに同期させて、前記光学特性検出手段により出力される前記多値情報に対応した電気信号の信号レベルを検出する再生信号生成手段と、を有することを特徴としている。
【０００４】
【特許文献１】特開２００１−１８４８０４号公報
【特許文献２】特許第２９１４７３２号公報
【発明の開示】
【発明が解決しようとする課題】
【０００５】
情報記録媒体に、多値で情報を記録した場合、その再生信号から、クロックを抽出するのは難しいため、クロックを抽出するための専用のマークを記録媒体上に記録している。
再生時には、記録媒体の回転ムラ等によりクロックマークの間隔が変動するため、ＰＬＬにて生成したクロックとの位相比較を行い、ＰＬＬで生成したクロックを再生信号に同期させるようにしている。
しかしながら、ＰＬＬ回路は温度、電源電圧等の環境変化により特性が変わり、位相の進みや遅れ等の誤差を生じやすいという問題があった。
【０００６】
そこで、本発明は、ＰＬＬ回路の上記変動特性を有しつつも、位相の進みや遅れ等の誤差を補正でき、クロックの精度を上げることができる位相差検出方法、情報記録／再生媒体、位相検出回路、情報再生装置の提供を、その主な目的とする。
【課題を解決するための手段】
【０００７】
上記目的を達成するために、本発明では、クロックポイントの両隣の値を同一な値とし、その量子化（Ａ／Ｄ変換）後の値の差分を検出するようにした。
また、ＣＰＵ等で位相ずれ（特性の変化）を定期的に監視し、補正を行うことで、クロックの精度を上げることとした。
具体的には、請求項１記載の発明では、情報を記録媒体から多値信号を用いて再生するときの位相差検出方法であって、前記情報を前記記録媒体から再生するときに、クロックを抽出するためのクロックマークを用い、該クロックマークから抽出したクロックで量子化を行い、前記クロックマークにおけるクロックポイントの前後に該クロックポイントとは異なる同一の値を量子化し、前記クロックポイントの前後の量子化した値の差分を位相差として検出することを特徴とする。
【０００８】
請求項２記載の発明では、情報を記録媒体から多値信号を用いて再生する再生ときの位相差検出方法であって、前記情報を前記記録媒体から再生するときに、クロックを抽出するためのクロックマークを用い、該クロックマークから抽出したクロックで量子化を行い、前記クロックマークにおけるクロックポイントの前後に波形干渉で生じた値を量子化し、前記クロックポイントの前後の量子化した値の差分を位相差として検出することを特徴とする。
【０００９】
請求項３記載の発明では、請求項２記載の位相差検出方法において、前記クロックポイントの前後の量子化に、データによる波形干渉が起きないようにガードエリアを設けたクロックマークを用いることを特徴とする。
【００１０】
請求項４記載の発明では、情報を記録媒体から多値信号を用いて再生するときの位相差検出方法であって、前記情報を前記記録媒体から再生するときに、クロックを抽出するためのクロックマークを用い、該クロックマークは再生信号の振幅の差が最も大きくなる第１のレベルと、第２のレベル及び第３のレベルで構成され、前記第１のレベル、第３のレベル、第２のレベル、第３のレベル、第１のレベルと並べ、前記クロックマークから抽出したクロックで量子化を行い、前記２つの第３のレベルを量子化し、前記量子化した値の差分を位相差として検出することを特徴とする。
【００１１】
請求項５記載の発明では、情報を記録媒体から多値信号を用いて再生するときの位相差検出方法であって、前記情報を前記記録媒体から再生するときに、クロックを抽出するためのクロックマークを用い、前記クロックマークは再生信号の振幅の差がもっとも大きくなる第1のレベルと第２のレベルで構成され、前記第1のレベル、第２のレベル、第１のレベルと並べ、前記クロックマークから抽出したクロックで量子化を行い、前記クロックマークの前後に波形干渉で生じた値を量子化し、前記第２のレベルの前後の第1のレベルの量子化した値の差分を位相差として検出することを特徴とする。
【００１２】
請求項６記載の発明では、請求項５記載の位相差検出方法において、クロックポイントの前後のデータにより前記第２のレベルの前後の前記第1のレベルが変動しない長さをｎとするとき、前記第1のレベルがｎより長いことを特徴とする。
【００１３】
請求項７記載の発明では、情報記録／再生媒体において、請求項１乃至６のうちの何れか１つに記載の位相差検出方法を実施可能なクロックマークが情報中に記録されていることを特徴とする。
【００１４】
請求項８記載の発明では、情報を記録媒体から多値信号を用いて再生する再生装置に用いられる位相検出回路であって、前記情報を前記記録媒体から再生するときに、クロックを抽出するためのクロックマークを用い、前記クロックマークから抽出したクロックで量子化を行い、ディレイ素子に前記量子化した値を順次入力し、前記クロックマーク内の２点の量子化した値の差分をとり、該差分を位相差として検出することを特徴とする。
【００１５】
請求項９記載の発明では、情報を記録媒体から多値信号を用いて再生する情報再生装置であって、前記情報を前記記録媒体から再生するときに、クロックを抽出するためのクロックマークを用い、前記クロックマークから抽出したクロックで量子化を行い、ディレイ素子に前記量子化した値を順次入力し、前記クロックマーク内の２点の量子化した値の差分をとり、該差分を位相差として検出し、コントローラで定常位相差を検出して該位相差をＰＬＬ回路に加えることを特徴とする。
【００１６】
請求項１０記載の発明では、請求項９記載の情報再生装置において、定常位相差検出を、ＣＰＵが一定間隔、もしくは、電源投入時、もしくは記録媒体交換時に行うことを特徴とする。
【発明の効果】
【００１７】
請求項１記載の発明によれば、情報を記録媒体から多値信号を用いて再生するときの位相差検出方法であって、前記情報を前記記録媒体から再生するときに、クロックを抽出するためのクロックマークを用い、該クロックマークから抽出したクロックで量子化を行い、前記クロックマークにおけるクロックポイントの前後に該クロックポイントとは異なる同一の値を量子化し、前記クロックポイントの前後の量子化した値の差分を位相差として検出することとしたので、位相差を高精度に検出することができる。
【００１８】
請求項２記載の発明によれば、情報を記録媒体から多値信号を用いて再生するときの位相差検出方法であって、前記情報を前記記録媒体から再生するときに、クロックを抽出するためのクロックマークを用い、該クロックマークから抽出したクロックで量子化を行い、前記クロックマークにおけるクロックポイントの前後に波形干渉で生じた値を量子化し、前記クロックポイントの前後の量子化した値の差分を位相差として検出することとしたので、波形干渉が生じている場合でも、位相差を高精度に検出することができる。
【００１９】
請求項３記載の発明によれば、請求項２記載の位相差検出方法において、前記クロックポイントの前後の量子化に、データによる波形干渉が起きないようにガードエリアを設けたクロックマークを用いることとしたので、前後のデータによる位相の検出精度の劣化を防止することができる。
【００２０】
請求項４記載の発明によれば、情報を記録媒体から多値信号を用いて再生するときの位相差検出方法であって、前記情報を前記記録媒体から再生するときに、クロックを抽出するためのクロックマークを用い、該クロックマークは再生信号の振幅の差が最も大きくなる第１のレベルと、第２のレベル及び第３のレベルで構成され、前記第１のレベル、第３のレベル、第２のレベル、第３のレベル、第１のレベルと並べ、前記クロックマークから抽出したクロックで量子化を行い、前記２つの第３のレベルを量子化し、前記量子化した値の差分を位相差として検出することとしたので、位相差を高精度に検出することができる。
【００２１】
請求項５記載の発明によれば、情報を記録媒体から多値信号を用いて再生するときの位相差検出方法であって、前記情報を前記記録媒体から再生するときに、クロックを抽出するためのクロックマークを用い、前記クロックマークは再生信号の振幅の差がもっとも大きくなる第1のレベルと第２のレベルで構成され、前記第1のレベル、第２のレベル、第１のレベルと並べ、前記クロックマークから抽出したクロックで量子化を行い、前記クロックマークの前後に波形干渉で生じた値を量子化し、前記第２のレベルの前後の第1のレベルの量子化した値の差分を位相差として検出することとしたので、波形干渉が生じている場合でも、位相差を高精度に検出することができる。
【００２２】
請求項６記載の発明によれば、請求項５記載の位相差検出方法において、クロックポイントの前後のデータにより前記第２のレベルの前後の前記第1のレベルが変動しない長さをｎとするとき、前記第1のレベルがｎより長いこととしたので、前後のデータによる位相の検出精度の劣化を防止することができる。
【００２３】
請求項７記載の発明によれば、情報記録／再生媒体において、請求項１乃至６のうちの何れか１つに記載の位相差検出方法を実施可能なクロックマークが情報中に記録されていることとしたので、位相差を高精度に検出することができ、情報の記録又は再生を高精度に行うことができる。
【００２４】
請求項８記載の発明によれば、情報を記録媒体から多値信号を用いて再生する情報再生装置であって、前記情報を前記記録媒体から再生するときに、クロックを抽出するためのクロックマークを用い、前記クロックマークから抽出したクロックで量子化を行い、ディレイ素子に前記量子化した値を順次入力し、前記クロックマーク内の２点の量子化した値の差分をとり、該差分を位相差として検出することとしたので、位相差を高精度に検出することができる。
【００２５】
請求項９記載の発明によれば、情報を記録媒体から多値信号を用いて再生する情報再生装置であって、前記情報を前記記録媒体から再生するときに、クロックを抽出するためのクロックマークを用い、前記クロックマークから抽出したクロックで量子化を行い、ディレイ素子に前記量子化した値を順次入力し、前記クロックマーク内の２点の量子化した値の差分をとり、該差分を位相差として検出し、コントローラで定常位相差を検出して該位相差をＰＬＬ回路に加えることとしたので、定常位相誤差をキャンセルすることができ、再生精度を向上させることができる。
【００２６】
請求項１０記載の発明によれば、請求項９記載の情報再生装置において、定常位相差検出を、ＣＰＵが一定間隔、もしくは、電源投入時、もしくは記録媒体交換時に行うこととしたので、位相差の検出レベルを一定にできる。
【発明を実施するための最良の形態】
【００２７】
以下、本発明の実施の形態を図１乃至図９に基づいて説明する。
図１に多値記録の再生波形を示す。上段が再生波形の理想値で中段が理想の再生クロックである。再生クロックの立ち上がりで再生波形の電圧が矩形波状に変化し、クロックの立ち下りで安定してレベルを判定できる。これに対して実際の波形は下段に示すようなものとなる。
【００２８】
図２に、情報再生装置としての光ディスク装置の構成例を示す。なお本実施形態では記録媒体として光ディスクを例に説明するが、媒体の記録方式に限定される趣旨ではない。すなわち、光磁気、追記型の媒体、リライタブルな媒体でも同じ効果が得られる。
図２は、本発明に関係する部分を中心に、必要な最低限の構成を示したものである。外部機器（例えばパーソナルコンピュータ）から光ディスク・ドライブにコマンドを送ると、インターフェースコントローラ１０がコマンドを受け取り、コントローラ１１へコマンドを受け取った旨、報告する。コントローラ１１はこのコマンドを解釈し、光ディスク・ドライブにコマンドの要求する動作を行わせ、レポートをインターフェースコントローラ１０を通して外部機器に行う。また、情報を記録する際は、外部機器からインターフェースコントローラ１０を通してデジタル回路１２を経由し、一旦バッファメモリ１３に記憶する。このデータに対し、デジタル回路１２では、誤り訂正符号を付けたり、同期信号を付加したり、多値レベルへの変調符号に変換などの動作を行う。
【００２９】
また、書きこむアドレスは、媒体上に予め書かれているアドレスを読んで指示されたアドレスに情報を記録する。次にアナログ回路１４で光ディスク１５に記録するように光ピックアップユニット１６上のＬＤ（レーザーダイオード）を発光させるように電流を制御し、多値レベルに記録する。
また、光ピックアップユニット１６からのＬＤの出射光が媒体（光ディスク１５）に当たり、その反射光をＰＤ（フォトディテクタ）で受けてアナログ回路１４で処理をし、フォーカスエラー信号や、トラッキングエラー信号などを生成してサーボ回路１７に入力し、サーボ回路１７でピックアップの位置やレンズの位置を制御する。
このとき、光情報媒体（光ディスク１５）は通常スパイラルの溝もしくはデータ配列を持っている。そのため、時間の経過と共に（例えば、外周から内周でもよい）内周から外周に移動し、トラッキング制御できる範囲を超えてしまう。
そこで、トラッキングサーボ信号から光ピックアップユニット１６全体を移動させ、常にレンズの位置が中立に近い形で保てるようにキャリトラと呼ばれる制御を行っている。
【００３０】
再生の場合は、ピックアップの出力をアナログ回路１４で量子化及びＰＬＬ等を用いてクロック抽出を行い、デジタル回路１２で同期検出、復調、誤り訂正などを行い、バッファメモリ１３に貯える。その後、インターフェースコントローラ１０を通して外部機器に情報を転送している。
図３に情報配列の例を示す。多値記録の場合は２値と違って再生信号のエッジ部を正しく抽出できないため、エッジからクロックを抽出できない。そこで、Ｄａｔａと書かれている情報部とは別にＣｌｏｃｋＭａｒｋと書かれている特別なマークを用いてクロックを抽出する。このＤａｔａの長さは、偏心などにより生じるクロック変動量がシステムの許容値以内になるように設定される。
クロックマークはその前後のデータからの符号間干渉による影響がないパターンを使用すると共に、位置の変動が生じても誤同期を生じないようにする必要がある。
【００３１】
図４にクロックマークの一例を示す。これは、例えば８値で情報を記録する際、反射光量が大きい方を０とし、光量が少ないときを７とするときの「００７００」のクロックマークの例である。図４（ｂ）は、この再生信号を微分した波形を示し、この０クロスで同期位置の検出を行うことができる。この同期位置を通常よく使用されているＰＬＬの位相比較器に入力することでクロックを生成できる。
図５に同期マークの一例を示す。クロックマークと同様に、例えば８値で情報を記録する際、反射光量が大きい方を０とし、光量が少ないときを７とするときの「００００７００００」の同期マークの例である。図５（ｂ）は、この再生信号を微分した波形を示し、この０クロスで同期位置の検出を行うことができる。
クロックマークに対して同期マークが長いのは、欠陥などで生じるビットスリップを回復するための変動はクロックマークより大きいため、より大きなウインドウを必要とするためである。
【００３２】
図６に、クロックマークと同期マークの配置を示す。ＰＬＬにて生成したクロックと再生波形の位相比較を行い、ＰＬＬで生成したクロックを再生信号に同期させる。しかし、ＰＬＬは温度、電源電圧等の環境変化により特性が変わり、位相の進み、遅れ等の誤差を生じてしまう場合がある。
そこで、ＣＰＵ等で位相ずれ（特性の変化）を定期的に監視し補正を行う。しかし、ＰＬＬのクロックを用いてＡ／Ｄコンバータでサンプリングされた信号から位相差を検出するのは困難であった。
クロックマークのうち、クロックポイントを示すピーク（図４（ａ）における「００７００」の7の位置：以降このポイントをクロックポイントと呼ぶ）がサンプリング点とずれているかどうかを検出するには、かなり高いサンプリングレートでＡ／Ｄ変換を行わなければならない。
【００３３】
そこで、本実施形態では、クロックポイントの両隣の値を同一な値とし、そのＡ／Ｄ変換後（量子化後）の値で位相差を検出できるようにした。
その手法を図７に基づいて説明する。
ここでのクロックマークは、図４で示したものが「００７００」であったのに対し、「０３７３０」となっており、時間軸方向に太くなっている。これを、クロックのサンプリング・ポイントでＡ／Ｄ変換を行うと、Ｖｃｍ−２、Ｖｃｍ−１、Ｖｃｍ、Ｖｃｍ＋１、Ｖｃｍ＋２はそれぞれ、Ｖ０（第１のレベル）、Ｖ３（第３のレベル）、Ｖ７（第２のレベル）、Ｖ３（第３のレベル）、Ｖ０（第１のレベル）の値が変換されるはずである。
但し、Ｖｃｍ−１、Ｖｃｍ、Ｖｃｍ＋１はクロックポイント前後のＡ／Ｄ変換のデータ、Ｖ０、Ｖ３、Ｖ７はレベル０、３、７の電圧値である。もし、位相差がなければ、クロックポイントの前後のＶｃｍ−１、Ｖｃｍ＋１は同じ電圧Ｖ３になるはずである。
【００３４】
しかし、位相がずれてクロックが少し前に行くと、Ｖｃｍ−１はＶ３よりＶ０に近い値になり、大きい電圧がサンプリングされ、Ｖｃｍ＋１はＶ３よりＶ７に近い値となり、小さい電圧がサンプリングされる。また、遅れた場合は、反対の電圧がサンプリングされる。これは、信号の傾きがクロックポイントの前後でプラスとマイナスになっているため、電圧値が異なることを利用している。
この前後の電圧の差分を位相差として検出することができる(請求項１、４、７)。ここで、多値レベル数が８、０の電圧が７の電圧より高い場合を例に説明したが、レベル数、電圧の方向によるものではない。
【００３５】
図８に、位相検出回路の一例を示す。この回路は、図２におけるアナログ回路１４とデジタル回路１２の境界部、一般的にはデジタル回路１２の先頭に存在する。
アナログ処理された再生信号はＰＬＬクロックにてＡ／Ｄ変換機で量子化され、デジタル処理される。この際に、同時にＰＬＬクロックの1クロック分遅らせるディレイ素子としてのレジスタＤを介して２クロックのＡ／Ｄ変換の結果の差分を「−」回路で取る。
この差分をクロックポイントの前後で出力するようにゲート回路で制御する。このゲート回路の出力を図２におけるコントローラ１１へ送る（請求項８）。
コントローラ１１ではこの位相差をＣＰＵが一定の時間、あるいは、メディアのロード時又は電源立ち上げ時に監視し、図９に示すＰＬＬのＤ／Ａコンバータに値を設定し、ＶＣＯの入力にオフセットを加えることで定常の位相差をキャンセルすることができる（請求項９、１０）。
【００３６】
図１０に基づいて、第２の実施形態を説明する。
本実施形態では、高密度記録に伴い波形干渉が生じる場合において、１つのサンプリング点の記録信号が、隣接の再生信号に影響を与えるという特徴を利用し、上記実施形態のようにクロックポイントの両側に値を記録したり、オーバー・サンプリングしないで位相差を検出できるようにしたことを特徴としている。
高密度記録を行っているため、記録する最少エリアに比べ、ビームの大きさが大きいため、隣のサンプルまで信号が漏れ込んでしまう。これを、波形干渉と呼んでいる。図１０のセル概念図における破線円はビーム径を示しており、大小のハッチング円は情報を示している。ハッチング円の大きさが大きいほど反射率は小さくなる。
図１０の再生信号のグラフにおいて、実線は波形干渉が生じた場合を示し、破線は理想状態を示している。
この波形干渉が生じているとクロックポイントの隣接のサンプルはある一定の値となる。この値を利用して、位相を検出するものである。
本実施形態におけるクロックマークの例は、図４に示したのと同様である。
ここでは、例えばクロックマークは再生信号の振幅の差がもっとも大きくなる第1のレベルと第２のレベルで構成され、上記実施形態と同様に、前記第1のレベル、第２のレベル、第１のレベルと並べ、クロックマークから抽出したクロックで量子化を行い、クロックマークの前後に波形干渉で生じた値を量子化し、第２のレベルの前後の第1のレベルの量子化した値の差分を位相差として検出する（請求項２、５）。
【００３７】
クロックマークの前後にはデータがあり、どのような値もとりうるので、クロックポイントの隣接する「０」の両側に前後データの波形干渉を受けないためのガードする領域が必要である。この観点からガードエリアを設けたクロックマークを用いる（請求項３）。
再生信号の振幅の差がもっとも大きくなる第1のレベルと第2のレベルでクロックマークが構成され場合において、クロックポイントの前後のデータにより前記第２のレベルの前後の前記第1のレベルが変動しない長さをｎとするとき、前記第1のレベルをｎより長くする（請求項６）。
ここで、多値レベル数が８、０の電圧が７の電圧より高い場合を例に説明したが、レベル数、電圧の方向によるものではない。
【図面の簡単な説明】
【００３８】
【図１】多値記録における再生波形例を示す図である。
【図２】第１の実施形態に適用可能な記録／再生装置のブロック図である。
【図３】データの配列例を示す図である。
【図４】クロックマークとその微分波形を示す図である。
【図５】同期マークとその微分波形を示す図である。
【図６】同期マークとクロックマーク、データの配置例を示す図である。
【図７】第１の実施形態におけるクロックマーク及びその微分波形を示す図である。
【図８】位相検出回路を示す図である。
【図９】ＰＬＬ回路を示す図である。
【図１０】第２の実施形態における波形干渉の状態を示す図である。
【符号の説明】
【００３９】
１１  コントローラ
１５  記録媒体としての光ディスク
【図１】
2005339710.tif 000003
【図２】
2005339710.tif 000004
【図３】
2005339710.tif 000005
【図４】
2005339710.tif 000006
【図５】
2005339710.tif 000007
【図６】
2005339710.tif 000008
【図７】
2005339710.tif 000009
【図８】
2005339710.tif 000010
【図９】
2005339710.tif 000011
【図１０】
2005339710.tif 000012